(57)【要約】【課題】翻訳対象外とする領域を指定する情報処理装置を提供する。【解決手段】情報処理装置の受付手段は、翻訳対象の文書を受け付け、取得手段は、前記文書に対して、翻訳対象外とする領域を取得し、翻訳手段は、前記領域内を翻訳せず、該領域以外の部分を翻訳する。【選択図】図１
2018195899.tif 000002
【特許請求の範囲】
【請求項１】
翻訳対象の文書を受け付ける受付手段と、
前記文書に対して、翻訳対象外とする領域を取得する取得手段と、
前記領域内を翻訳せず、該領域以外の部分を翻訳する翻訳手段
を有する情報処理装置。
【請求項２】
前記翻訳手段による翻訳結果を、翻訳前の前記文書のレイアウトを維持して配置する配置手段
をさらに有する請求項１に記載の情報処理装置。
【請求項３】
前記配置手段は、前記翻訳結果を、前記領域以外の領域に配置する、
請求項２に記載の情報処理装置。
【請求項４】
前記文書のレイアウト解析を行う解析手段
をさらに有し、
前記取得手段は、前記解析手段によるレイアウト解析の結果を提示し、操作者による前記領域の選択指示にしたがって、該領域を取得する、
請求項１に記載の情報処理装置。
【請求項５】
前記取得手段は、既に翻訳対象外とされている画像と類似する画像の領域を抽出し、該領域を翻訳対象外の領域候補として提示する、
請求項４に記載の情報処理装置。
【請求項６】
前記取得手段は、既に翻訳対象外とされている画像と類似する画像の領域を翻訳対象外の領域として取得する、
請求項１に記載の情報処理装置。
【請求項７】
前記文書には、前記領域を示す情報画像が記載されており、
前記取得手段は、前記情報画像から前記領域を取得する、
請求項１に記載の情報処理装置。
【請求項８】
前記取得手段は、前記領域の周囲にある文字領域内の文字の接続関係を取得し、
前記翻訳手段は、前記接続関係にしたがって翻訳を行う、
請求項１に記載の情報処理装置。
【請求項９】
前記文書のレイアウト解析を行う解析手段
をさらに有し、
前記取得手段は、前記解析手段によるレイアウト解析の結果を提示し、操作者による接続関係の選択指示にしたがって、前記文字領域内の文字の接続関係を取得する、
請求項８に記載の情報処理装置。
【請求項１０】
コンピュータを、
翻訳対象の文書を受け付ける受付手段と、
前記文書に対して、翻訳対象外とする領域を取得する取得手段と、
前記領域内を翻訳せず、該領域以外の部分を翻訳する翻訳手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、組版により分断された単語や文章の意味的なつながりがＯＣＲで認識することができないことによる文字認識効率の低下を改善し、また、複数印刷物の同時ＯＣＲを可能とすることを課題とし、文章の領域要素と、その連結関係や順序関係を電子透かし情報として文章上に埋め込むことにより、認識処理に先立って文字の順序関係を正確に把握可能とし、文字認識効率を向上させ、また、領域指定方法を座標基準領域と相対化することで、印刷物との対応関係を正確に把握したまま、複数印刷物の同時ＯＣＲを可能とすることが開示されている。
【先行技術文献】
【特許文献】
【０００３】
【特許文献１】特開２００５−１６７５２２号公報
【発明の概要】
【発明が解決しようとする課題】
【０００４】
文書には図や企業ロゴ等が含まれている場合がある。そのような文書を翻訳するにあたっては、図中や企業ロゴの文字等、翻訳対象とすべきではない領域がある。しかし、文書を翻訳するにあたって、一般的に、翻訳対象とすべき領域を指定することは可能であるが、翻訳対象とすべきでない領域を明示的に指定することはできない。
本発明は、翻訳対象外とする領域を指定する情報処理装置及び情報処理プログラムを提供することを目的としている。
【課題を解決するための手段】
【０００５】
かかる目的を達成するための本発明の要旨とするところは、次の各項の発明に存する。
請求項１の発明は、翻訳対象の文書を受け付ける受付手段と、前記文書に対して、翻訳対象外とする領域を取得する取得手段と、前記領域内を翻訳せず、該領域以外の部分を翻訳する翻訳手段を有する情報処理装置である。
【０００６】
請求項２の発明は、前記翻訳手段による翻訳結果を、翻訳前の前記文書のレイアウトを維持して配置する配置手段をさらに有する請求項１に記載の情報処理装置である。
【０００７】
請求項３の発明は、前記配置手段は、前記翻訳結果を、前記領域以外の領域に配置する、請求項２に記載の情報処理装置である。
【０００８】
請求項４の発明は、前記文書のレイアウト解析を行う解析手段をさらに有し、前記取得手段は、前記解析手段によるレイアウト解析の結果を提示し、操作者による前記領域の選択指示にしたがって、該領域を取得する、請求項１に記載の情報処理装置である。
【０００９】
請求項５の発明は、前記取得手段は、既に翻訳対象外とされている画像と類似する画像の領域を抽出し、該領域を翻訳対象外の領域候補として提示する、請求項４に記載の情報処理装置である。
【００１０】
請求項６の発明は、前記取得手段は、既に翻訳対象外とされている画像と類似する画像の領域を翻訳対象外の領域として取得する、請求項１に記載の情報処理装置である。
【００１１】
請求項７の発明は、前記文書には、前記領域を示す情報画像が記載されており、前記取得手段は、前記情報画像から前記領域を取得する、請求項１に記載の情報処理装置である。
【００１２】
請求項８の発明は、前記取得手段は、前記領域の周囲にある文字領域内の文字の接続関係を取得し、前記翻訳手段は、前記接続関係にしたがって翻訳を行う、請求項１に記載の情報処理装置である。
【００１３】
請求項９の発明は、前記文書のレイアウト解析を行う解析手段をさらに有し、前記取得手段は、前記解析手段によるレイアウト解析の結果を提示し、操作者による接続関係の選択指示にしたがって、前記文字領域内の文字の接続関係を取得する、請求項８に記載の情報処理装置である。
【００１４】
請求項１０の発明は、コンピュータを、翻訳対象の文書を受け付ける受付手段と、前記文書に対して、翻訳対象外とする領域を取得する取得手段と、前記領域内を翻訳せず、該領域以外の部分を翻訳する翻訳手段として機能させるための情報処理プログラムである。
【発明の効果】
【００１５】
請求項１の情報処理装置によれば、翻訳対象外とする領域を指定することができる。
【００１６】
請求項２の情報処理装置によれば、翻訳結果を、翻訳前の文書のレイアウトを維持して配置することができる。
【００１７】
請求項３の情報処理装置によれば、翻訳結果を、翻訳対象外とする領域以外の領域に配置することができる。
【００１８】
請求項４の情報処理装置によれば、レイアウト解析の結果を提示し、操作者の選択指示にしたがって、領域を取得することができる。
【００１９】
請求項５の情報処理装置によれば、既に翻訳対象外とされている画像と類似する画像の領域を抽出し、その領域を翻訳対象外の領域候補として提示することができる。
【００２０】
請求項６の情報処理装置によれば、既に翻訳対象外とされている画像と類似する画像の領域を翻訳対象外の領域として取得することができる。
【００２１】
請求項７の情報処理装置によれば、文書内の情報画像から領域を取得することができる。
【００２２】
請求項８の情報処理装置によれば、領域の周囲にある文字領域内の文字の接続関係にしたがって翻訳を行うことができる。
【００２３】
請求項９の情報処理装置によれば、レイアウト解析の結果を提示し、操作者の選択指示にしたがって、文字領域内の文字の接続関係を取得することができる。
【００２４】
請求項１０の情報処理プログラムによれば、翻訳対象外とする領域を指定することができる。
【図面の簡単な説明】
【００２５】
【図１】本実施の形態の構成例についての概念的なモジュール構成図である。
【図２】本実施の形態を利用したシステム構成例を示す説明図である。
【図３】本実施の形態による処理対象の例を示す説明図である。
【図４】本実施の形態による処理例を示すフローチャートである。
【図５】本実施の形態による処理例を示す説明図である。
【図６】除外領域テーブルのデータ構造例を示す説明図である。
【図７】レイアウト情報テーブルのデータ構造例を示す説明図である。
【図８】レイアウト情報テーブル（処理後）のデータ構造例を示す説明図である。
【図９】本実施の形態による処理例を示す説明図である。
【図１０】本実施の形態による処理例を示すフローチャートである。
【図１１】本実施の形態による処理例を示す説明図である。
【図１２】本実施の形態による処理例を示すフローチャートである。
【図１３】本実施の形態による処理例を示すフローチャートである。
【図１４】本実施の形態による処理例を示す説明図である。
【図１５】翻訳対象外イメージテーブルのデータ構造例を示す説明図である。
【図１６】本実施の形態による処理例を示すフローチャートである。
【図１７】本実施の形態による処理例を示す説明図である。
【図１８】本実施の形態による処理例を示す説明図である。
【図１９】本実施の形態による処理例を示す説明図である。
【図２０】本実施の形態による処理例を示す説明図である。
【図２１】本実施の形態を実現するコンピュータのハードウェア構成例を示すブロック図である。
【発明を実施するための形態】
【００２６】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２７】
本実施の形態である情報処理装置１００は、翻訳（機械翻訳）を行うものであって、図１の例に示すように、文書受付モジュール１０５、翻訳処理モジュール１１０、出力モジュール１３０を有している。
文書には文字領域以外に図や企業ロゴ等が含まれている場合がある。そのような文書を翻訳するにあたっては、図中や企業ロゴの文字等を翻訳対象とすべきではない領域がある。しかし、文書を翻訳するにあたって、一般的に、翻訳対象とすべき領域を指定することは可能であるが、翻訳対象とすべきでない領域を明示的に指定することはできない。つまり、このような場合、翻訳対象とすべきでない領域を指定しないことによって、翻訳対象とすべきでない領域を指定することになる。特に、文字領域が多く、翻訳対象とすべきではない領域が少ないような場合は、操作者の操作が多くなってしまう。
本実施の形態の情報処理装置１００は、翻訳対象とすべき領域を指定する場合に比べて、翻訳対象外とする領域を指定するのに、操作者の操作を少なくすることができる。
【００２８】
文書受付モジュール１０５は、翻訳処理モジュール１１０と接続されている。文書受付モジュール１０５は、翻訳対象の文書（原稿）を受け付ける。文書は、紙文書を読み取った画像である文書画像であってもよいし、電子文書（構造化文書を含む）等であってもよい。文書画像として、例えば、文書をスキャナ、カメラ等で読み込んだ画像、ファックス等で通信回線を介して外部機器から受信した画像等がある。電子文書（ファイルとも言われる）とは、翻訳対象となるテキストデータを少なくとも含み、数値データ、図形データ、画像データ、動画データ、音声データ等、又はこれらの組み合わせであり、記憶、編集及び検索等の対象となり、システム又は利用者間で個別の単位として交換できるものをいい、これらに類似するものを含む。例えば、文書作成プログラムによって作成された文書、Ｗｅｂページ等の文書がある。
「文書を受け付ける」として、文書をスキャナで読み込むこと、ハードディスク（コンピュータに内蔵されているものの他に、ネットワークを介して接続されているもの等を含む）等に記憶されている文書を読み出すこと等が含まれる。文書画像は、２値画像、多値画像（カラー画像を含む）であってもよい。受け付ける文書は、１枚であってもよいし、複数枚であってもよい。また、文書の内容として、翻訳対象の文字が含まれていればよく、例えば、ビジネスに用いられる文書、広告宣伝用のパンフレット等であってもよい。
【００２９】
また、文書受付モジュール１０５が、文書画像を受け付けた場合は、その文書画像を対象として文字認識してもよい。その文字認識結果を翻訳対象とすればよい。なお、文書画像を受け付けた場合は、翻訳対象外領域を、文字認識の対象としないようにしてもよい。翻訳する必要がないからである。また、文字認識の際に、レイアウト解析モジュール１２０によるレイアウト解析を行うようにしてもよい。
文書受付モジュール１０５が受け付ける文書には、翻訳対象外領域を示す情報画像が記載されていてもよい。ここで「情報画像」とは、機械可読な態様で電子データを表すために体系的に作られた画像コードをいい、例えば、１次元バーコード、２次元コード、電子透かし情報等がある。具体的には、２次元コードとして、ＱＲコード（Ｑｕｉｃｋ  Ｒｅｓｐｏｎｓｅ  ｃｏｄｅ：登録商標）等がある。情報画像内に、翻訳対象外領域を示す情報（例えば、領域の左上端点と右下端点の座標を示す情報等）が埋め込まれている。
【００３０】
翻訳処理モジュール１１０は、除外領域取得モジュール１１５、レイアウト解析モジュール１２０、機械翻訳モジュール１２５を有しており、文書受付モジュール１０５と接続されている。翻訳処理モジュール１１０は、文書受付モジュール１０５が受け付けた文書を翻訳する。
除外領域取得モジュール１１５は、レイアウト解析モジュール１２０、機械翻訳モジュール１２５、出力モジュール１３０と接続されている。除外領域取得モジュール１１５は、文書に対して、翻訳対象外とする領域を取得する。ここで「翻訳対象外とする領域（以下、翻訳対象外領域ともいう）」とは、翻訳対象とすべきでない領域であって、例えば、図、企業ロゴ等が該当する。特に、図中や企業ロゴの文字等が記載されている領域が該当する。ただし、これら以外の領域を含めてもよい。例えば、操作者の選択操作によって選ばれた文字領域を翻訳対象としないようにしてもよい。
また、「翻訳対象外領域を取得する」のに、操作者による指示操作（具体的には、領域を囲む操作、レイアウト解析による結果である領域を選択する操作等）であってもよいし、文書内の情報画像の読み込みであってもよい。つまり、除外領域取得モジュール１１５は、文書内に情報画像がある場合は、その情報画像から翻訳対象外領域を取得するようにしてもよい。
【００３１】
また、除外領域取得モジュール１１５は、レイアウト解析モジュール１２０によるレイアウト解析の結果を提示し、操作者による翻訳対象外領域の選択指示にしたがって、その翻訳対象外領域を取得するようにしてもよい。
さらに、除外領域取得モジュール１１５は、既に翻訳対象外とされている画像と類似する画像の領域を抽出し、その領域を翻訳対象外領域の候補として提示するようにしてもよい。そして、操作者は、その提示された翻訳対象外領域の候補を選択して、翻訳対象外領域を指定するようにしてもよい。ここで「既に翻訳対象外とされている画像」として、予め定められた画像、又は、操作者の操作等によって既に翻訳対象外とされた領域内の画像がある。
また、除外領域取得モジュール１１５は、複数の領域内の文字の接続関係を取得するようにしてもよい。特に、除外領域取得モジュール１１５は、翻訳対象外領域の周囲にある文字領域内の文字の接続関係を取得するようにしてもよい。
また、除外領域取得モジュール１１５は、レイアウト解析モジュール１２０によるレイアウト解析の結果を提示し、操作者による接続関係の選択指示にしたがって、文字領域内の文字の接続関係を取得するようにしてもよい。
【００３２】
レイアウト解析モジュール１２０は、除外領域取得モジュール１１５、機械翻訳モジュール１２５、出力モジュール１３０と接続されている。レイアウト解析モジュール１２０は、文書のレイアウト解析を行う。レイアウト解析は、既存の技術を用いればよい。例えば、電子文書の場合は、タグ情報によってレイアウトを解析してもよいし、文書画像である場合は、画像内の特徴量によって、文字領域、写真領域、図形領域等を分けることを行うようにしてもよい。
【００３３】
機械翻訳モジュール１２５は、除外領域取得モジュール１１５、レイアウト解析モジュール１２０、出力モジュール１３０と接続されている。機械翻訳モジュール１２５は、除外領域取得モジュール１１５によって指定された翻訳対象外領域内を翻訳せず、その翻訳対象外領域以外の部分を翻訳する。ここで「翻訳対象外領域以外の部分」は、翻訳対象と指示された領域であって、文字が記載されている。なお、翻訳技術は、既存の技術を用いればよい。
機械翻訳モジュール１２５は、除外領域取得モジュール１１５によって取得された文字の接続関係にしたがって翻訳を行うようにしてもよい。
【００３４】
出力モジュール１３０は、除外領域取得モジュール１１５、レイアウト解析モジュール１２０、機械翻訳モジュール１２５と接続されている。出力モジュール１３０は、機械翻訳モジュール１２５による翻訳結果を、翻訳前の文書（文書受付モジュール１０５が受け付けた文書）のレイアウトを維持するように配置して出力を行う。ここで、翻訳後の文書を出力するとは、例えば、プリンタ等の印刷装置で印刷すること、ディスプレイ等の表示装置に表示すること、ファックス等の画像送信装置で画像を送信すること、文書データベース等の文書記憶装置へ文書を書き込むこと、メモリーカード等の記憶媒体に記憶すること、他の情報処理装置へ渡すこと等が含まれる。
また、出力モジュール１３０は、機械翻訳モジュール１２５による翻訳結果を、翻訳対象外領域以外の領域に配置するようにしてもよい。具体的には、翻訳対象外領域の周囲の翻訳結果を、その翻訳対象外領域を避けて配置してもよい。つまり、翻訳対象外領域には、翻訳結果を重ねて配置することはしないようにする。
【００３５】
図２は、本実施の形態を利用したシステム構成例を示す説明図である。
図２（ａ）の例に示す画像処理装置２００は、情報処理装置１００を有している。画像処理装置２００は、例えば、複合機（スキャナ、プリンタ、複写機、ファックス等のいずれか２つ以上の機能を有している画像処理装置）であって、スキャナで読み込んだ文書を翻訳して、その翻訳結果をプリンタが印刷する。その印刷された文書は、スキャン対象の文書のレイアウトを維持して翻訳結果が配置されていてもよい。
【００３６】
図２（ｂ）の例に示すシステムでは、情報処理装置１００、画像処理装置２１０、ユーザー端末２２０、文書リポジトリとしての文書記憶装置２３０は、通信回線２９０を介してそれぞれ接続されている。通信回線２９０は、無線、有線、これらの組み合わせであってもよく、例えば、通信インフラとしてのインターネット、イントラネット等であってもよい。また、情報処理装置１００、文書記憶装置２３０による機能は、クラウドサービスとして実現してもよい。
例えば、画像処理装置２１０が文書を読み込み、文書画像を情報処理装置１００に送信し、情報処理装置１００から翻訳された文書を受け取って印刷してもよい。また、ユーザー端末２２０のユーザーの操作によって、ユーザー端末２２０又は文書記憶装置２３０内の電子文書を情報処理装置１００に送信し、情報処理装置１００から翻訳された文書を受け取ってもよい。その後、翻訳された文書を画像処理装置２１０で印刷してもよいし、文書記憶装置２３０に記憶させてもよい。
【００３７】
図３は、本実施の形態による処理対象の例を示す説明図である。
図３に示す文書３００の例は、ロゴ領域３３０の周囲に「富士ゼロックスは、１９６２年の創業以来、複写機によるドキュメントの伝達を通して、「情報の民主化」に貢献してきました。その後、９０年代に入って、ＩＴ革命により情報量は飛躍的に増大しただけでなくその流通経路や形態も多様化、複雑化しました。さらに、近年では情報通信技術（ＩＣＴ）の進化によって、価値ある知識や情報を選別し活用する力が一層求められるようになりました。このような大きなパラダイムシフトのもとで、当社はもとよりお客様も、従前のやり方で事業成長を継続させることは困難になっており、複雑化・高度化する情報化社会にどのように向き合い、どう事業成長を継続させるべきか、企業としての真価が問われています。」という文章が記載されている。
本実施の形態を用いない場合、ロゴであるロゴ領域３３０も翻訳されてしまう。そして、レイアウト解析を行った結果として、文章領域３１０、文章領域３２０、文章領域３４０、文章領域３５０のように分かれた領域となる。特に、文字の接続関係は規定されていないので、２行の文字列がロゴ領域３３０を境にして、文章領域３２０と文章領域３４０に分かれている。つまり、物理的な分断が論理的な分断となってしまい、左右の領域（文章領域３２０と文章領域３４０）が個々に翻訳され、人が意図する翻訳結果とならない場合が生じる。具体的には、文章の流れとして、単に文章領域３２０内の文字列の次に、ロゴ領域３３０内の文字列を続ければよいわけではなく、文章領域３２０内の１行目の文字列の次に、文章領域３４０内の１行目の文字列、次に文章領域３２０内の２行目の文字列、そして、文章領域３４０内の２行目の文字列が続いている。後者のような文字列を翻訳対象としないと、誤訳してしまうことになってしまう。
【００３８】
図４は、本実施の形態による処理例を示すフローチャートである。
ステップＳ４０２では、文書受付モジュール１０５は、文書を受け付ける。
ステップＳ４０４では、除外領域取得モジュール１１５は、受け付けた文書を表示する。例えば、情報処理装置１００が有している液晶ディスプレイ等の表示装置を表示する。例えば、図５に示すように、画面５００の文書表示領域５２０内に文書を表示する。そして、文書表示領域５２０の上にメッセージ領域５１０を表示し、そのメッセージ領域５１０に例えば「枠を描いて除外領域（翻訳対象外領域）を指定してください。」と表示する。
【００３９】
ステップＳ４０６では、除外領域取得モジュール１１５は、ユーザーの指定操作にしたがって翻訳対象外領域を取得する。図５の例に示すように、文書表示領域５２０内の表示された文書上で、ユーザーの操作で翻訳対象外領域５３０を指定する。ユーザーの操作として、タッチパネルを兼ねる液晶ディスプレイを制御して、ユーザーの指又はペン操作を受け付ける。この他、マウス、キーボード、カメラ、マイク等を用いたユーザーの操作（視線、ジェスチャ、音声等も含む）を受け付けるようにしてもよい。
翻訳対象外領域５３０を示す情報として、例えば、除外領域テーブル６００がある。図６は、除外領域テーブル６００のデータ構造例を示す説明図である。図４の例に示すフローチャートのステップＳ４０６の処理結果である。除外領域テーブル６００は、ＩＤ欄６１０、矩形領域欄６２０を有している。ＩＤ欄６１０は、翻訳対象外領域を本実施の形態で一意に識別するための情報（ＩＤ：ＩＤｅｎｔｉｆｉｃａｔｉｏｎ）を記憶している。矩形領域欄６２０は、その翻訳対象外領域の矩形領域を示す情報（左上端点と右下端点の座標）を記憶している。
【００４０】
ステップＳ４０８では、レイアウト解析モジュール１２０は、文書からレイアウト情報を取得する。図５の例に示すように、レイアウト解析結果領域５４０がレイアウト解析の結果の領域として抽出される。なお、図５の例では、レイアウト解析の結果として、下部分だけを示している。
レイアウト解析結果領域５４０を示す情報として、例えば、レイアウト情報テーブル７００がある。図７は、レイアウト情報テーブル７００のデータ構造例を示す説明図である。図４の例に示すフローチャートのステップＳ４０８の処理結果である。レイアウト情報テーブル７００は、ＩＤ欄７１０、矩形領域欄７２０を有している。ＩＤ欄７１０は、レイアウト解析結果の領域を本実施の形態で一意に識別するための情報（ＩＤ）を記憶している。矩形領域欄７２０は、そのレイアウト解析結果領域の矩形領域を示す情報（左上端点と右下端点の座標）を記憶している。
【００４１】
ステップＳ４１０では、除外領域取得モジュール１１５は、レイアウト情報から翻訳対象外領域を除外する。レイアウト解析結果領域５４０から翻訳対象外領域５３０を除外した結果、レイアウト解析結果領域５４０は除外処理後領域５５０と除外処理後領域５６０に分かれることになる。
除外処理後領域５５０と除外処理後領域５６０を示す情報として、例えば、レイアウト情報テーブル（処理後）８００がある。図８は、レイアウト情報テーブル（処理後）８００のデータ構造例を示す説明図である。図４の例に示すフローチャートのステップＳ４１０の結果処理結果である。レイアウト情報テーブル（処理後）８００は、ＩＤ欄８１０、矩形領域欄８２０を有している。ＩＤ欄８１０は、レイアウト解析結果領域から翻訳対象外領域を除外した後の領域を本実施の形態で一意に識別するための情報（ＩＤ）を記憶している。矩形領域欄８２０は、その領域の矩形領域を示す情報（左上端点と右下端点の座標）を記憶している。
【００４２】
ステップＳ４１２では、機械翻訳モジュール１２５は、翻訳対象外領域を避けて文書を機械翻訳する。
ステップＳ４１４では、出力モジュール１３０は、元の文書のレイアウトを維持して、翻訳結果を配置する。
ステップＳ４１６では、出力モジュール１３０は、配置結果を出力する。
【００４３】
図９は、本実施の形態による具体的な処理例を示す説明図である。
図９（ａ）に示す例は、文書受付モジュール１０５が受け付けた翻訳対象の文書９００である。文書９００内には、テキスト領域が隣接しているグラフ領域がある。このグラフ領域が翻訳対象外領域である。
図９（ｂ）に示す例は、文書９００から翻訳対象外領域９１０がユーザーの操作によって指定されて、除外領域取得モジュール１１５が翻訳対象外領域９１０を取得した例である。
なお、この翻訳対象外領域９１０が指定されないと（つまり、情報処理装置１００を使用しない場合）、グラフ軸のラベルや見出しが、グラフ左側のテキスト領域（テキスト領域９５０）の一部とみなされ、翻訳結果が妥当でなくなることがある。さらに、出力結果として、グラフ左側の翻訳結果がグラフ上に重なって記載されてしまうことがある。
【００４４】
図９（ｃ）に示す例は、レイアウト解析モジュール１２０によるレイアウト解析結果を示すものである。文書９００は、翻訳対象であるテキスト領域９２２、テキスト領域９２４、テキスト領域９２６、テキスト領域９２８、テキスト領域９３０、テキスト領域９３２、テキスト領域９３４、テキスト領域９３６、テキスト領域９３８、テキスト領域９４０、テキスト領域９４２、テキスト領域９４４、テキスト領域９４６、テキスト領域９４８、テキスト領域９５０、テキスト領域９５２を有している。これらは、翻訳対象外領域９１０を除外した文書９００のレイアウト解析結果であり、ユーザーの操作は不要である。
図９（ｄ）に示す例は、翻訳結果９９０の出力結果である。文書９００のレイアウトを維持したまま翻訳している。そして、翻訳対象外領域９１０は、翻訳せずに、そのまま表示している。
【００４５】
図１０は、本実施の形態による処理例を示すフローチャートである。
図４の例に示したフローチャートでは、ユーザーの操作によって翻訳対象外領域が指定された後に、レイアウト解析を行ったが、逆に、図１０の例に示すフローチャートのように、レイアウト解析を行った後に、翻訳対象外領域が指定されてもよい。なお、ステップＳ１００２、ステップＳ１０１０からステップＳ１０１６までの処理は、図４の例に示したフローチャートのステップＳ４０２、ステップＳ４１０からステップＳ４１６までの処理と同等である。
【００４６】
ステップＳ１００２では、文書受付モジュール１０５は、文書を受け付ける。
ステップＳ１００４では、レイアウト解析モジュール１２０は、受け付けた文書からレイアウト情報を取得する。
ステップＳ１００６では、除外領域取得モジュール１１５は、レイアウト解析後の文書を表示する。
ステップＳ１００８では、除外領域取得モジュール１１５は、ユーザーの指定操作にしたがって翻訳対象外領域を取得する。ユーザーは、レイアウト解析結果を見ながら、翻訳対象外領域を指定（又は、レイアウト解析結果の領域をそのまま選択）することができる。
【００４７】
ステップＳ１０１０では、除外領域取得モジュール１１５は、レイアウト情報から翻訳対象外領域を除外する。
ステップＳ１０１２では、機械翻訳モジュール１２５は、翻訳対象外領域を避けて文書を機械翻訳する。
ステップＳ１０１４では、出力モジュール１３０は、元の文書のレイアウトを維持して、翻訳結果を配置する。
ステップＳ１０１６では、出力モジュール１３０は、配置結果を出力する。
【００４８】
図１１は、本実施の形態による処理例を示す説明図である。
図１１（ａ）に示す例は、文書受付モジュール１０５が受け付けた翻訳対象の文書１１００である。文書１１００内には、テキスト領域が隣接しているグラフ領域がある。このグラフ領域が翻訳対象外領域である。
図１１（ｂ）に示す例は、レイアウト解析モジュール１２０によるレイアウト解析結果を示すものである。文書１１００は、テキスト領域１１２２、テキスト領域１１２４、テキスト領域１１２６、テキスト領域１１２８、テキスト領域１１３０、テキスト領域１１３２、テキスト領域１１３４、テキスト領域１１３６、テキスト領域１１３８、テキスト領域１１４０、テキスト領域１１４２、テキスト領域１１４４、テキスト領域１１４６、テキスト領域１１４８、テキスト領域１１５０を有している。これらは、文書１１００のレイアウト解析結果であり、ユーザーの操作は不要である。
【００４９】
図１１（ｃ）に示す例は、文書１１００から翻訳対象外領域１１１０がユーザーの操作によって指定されて、除外領域取得モジュール１１５が翻訳対象外領域１１１０を取得した例である。つまり、テキスト領域１１５０内から翻訳対象外領域１１１０が除外された領域が翻訳対象となる。他のテキスト領域は、翻訳対象外領域の指定が終了した時点で、翻訳対象となる。
なお、この翻訳対象外領域１１１０が指定されないと（つまり、情報処理装置１００を使用しない場合）、グラフ軸のラベルや見出しが、グラフ左側のテキスト領域（テキスト領域１１５０）の一部とみなされ、翻訳結果が妥当でなくなることがある。さらに、出力結果として、グラフ左側の翻訳結果がグラフ上に重なって記載されてしまうことがある。
また、レイアウト解析モジュール１２０によるレイアウト解析のアルゴリズムによっては、グラフ領域だけを抽出することができる場合があり、その場合は、その領域を翻訳対象外領域として選択すればよい。
図１１（ｄ）に示す例は、翻訳結果１１９０の出力結果である。文書１１００のレイアウトを維持したまま翻訳している。そして、翻訳対象外領域１１１０は、翻訳せずに、そのまま表示している。
【００５０】
図１２は、本実施の形態による処理例を示すフローチャートである。
図１２の例に示すフローチャートは、既に翻訳対象外とされている画像と類似する画像の領域を抽出し、その領域を翻訳対象外領域の候補として提示する処理例を示すものである。
なお、ステップＳ１２０２、ステップＳ１２１０からステップＳ１２１８までの処理は、図４の例に示したフローチャートのステップＳ４０２、ステップＳ４０８からステップＳ４１６までの処理と同等である。
【００５１】
ステップＳ１２０２では、文書受付モジュール１０５は、文書を受け付ける。
ステップＳ１２０４では、既に翻訳対象外とされている画像と類似する画像を、受け付けた文書から抽出する。ここで「既に翻訳対象外とされている画像」として、予め定められた画像、又は、操作者の操作等によって既に翻訳対象外領域とされた領域内の画像がある。「予め定められた画像」として、例えば、管理者等が指定した画像であって、一般的には、ロゴ画像、記号（例えば、地図記号等）、絵文字等がある。「操作者の操作等によって既に翻訳対象外領域とされた領域」として、既に情報処理装置１００による処理が行われており、過去に「翻訳対象外領域とされた領域」が該当する。類似する画像を抽出する処理は、既存の技術を用いればよい。例えば、パターンマッチング技術を用いてもよいし、特徴抽出後に特徴空間内での一致度を用いるようにしてもよい。
ステップＳ１２０６では、抽出した画像の領域を翻訳対象外領域の候補として、文書を表示する。例えば、翻訳対象外領域の候補を、赤枠で表示すること、点滅させること等の強調表示を行うようにしてもよい。
ステップＳ１２０８では、ユーザーの指定操作にしたがって、翻訳対象外領域を取得する。ここでユーザーの操作として、翻訳対象外領域の候補を選択するだけで、翻訳対象外領域の指定操作になる。
【００５２】
ステップＳ１２１０では、レイアウト解析モジュール１２０は、文書からレイアウト情報を取得する。
ステップＳ１２１２では、除外領域取得モジュール１１５は、レイアウト情報から翻訳対象外領域を除外する。
ステップＳ１２１４では、機械翻訳モジュール１２５は、翻訳対象外領域を避けて文書を機械翻訳する。
ステップＳ１２１６では、出力モジュール１３０は、元の文書のレイアウトを維持して、翻訳結果を配置する。
ステップＳ１２１８では、出力モジュール１３０は、配置結果を出力する。
【００５３】
なお、ステップＳ１２０６の処理結果が正しければ、ユーザーは翻訳対象外領域の指定操作なしに、ステップＳ１２１０の処理を終了することになる。また、ステップＳ１２０６の処理結果に誤りがある場合は、翻訳対象外領域の候補を翻訳対象の領域に変更指定する操作、又は、翻訳対象の領域を翻訳対象外領域として変更指定する操作が行われる。
【００５４】
図１３は、本実施の形態による処理例を示すフローチャートである。
図１２の例に示したフローチャートでは、ユーザーの操作によって翻訳対象外領域が指定された後に、レイアウト解析を行ったが、逆に、図１３の例に示すフローチャートのように、レイアウト解析を行った後に、翻訳対象外領域が指定されてもよい。なお、ステップＳ１３０２、ステップＳ１３０４、ステップＳ１３１２からステップＳ１３１８までの処理は、図１２の例に示したフローチャートのステップＳ１２０２、ステップＳ１２０４、ステップＳ１２１２からステップＳ１２１８までの処理と同等である。
【００５５】
ステップＳ１３０２では、文書受付モジュール１０５は、文書を受け付ける。
ステップＳ１３０４では、既に翻訳対象外とされている画像と類似する画像を、受け付けた文書から抽出する。
ステップＳ１３０６では、類似画像の領域をレイアウト解析結果の領域となるように、レイアウト解析を行う。具体的には、類似画像の領域を、既にレイアウト解析が終了している領域として扱うことによって、類似画像の領域をレイアウト解析結果の領域とできる。
【００５６】
ステップＳ１３０８では、ステップＳ１３０４で抽出した画像の領域を翻訳対象外領域の候補として、レイアウト解析後の文書を表示する。
ステップＳ１３１０では、ユーザーの指定操作にしたがって、翻訳対象外領域を取得する。
ステップＳ１３１２では、除外領域取得モジュール１１５は、レイアウト情報から翻訳対象外領域を除外する。
ステップＳ１３１４では、機械翻訳モジュール１２５は、翻訳対象外領域を避けて文書を機械翻訳する。
ステップＳ１３１６では、出力モジュール１３０は、元の文書のレイアウトを維持して、翻訳結果を配置する。
ステップＳ１３１８では、出力モジュール１３０は、配置結果を出力する。
【００５７】
図１４は、本実施の形態による処理例を示す説明図である。
図１４（ａ）に示す例は、文書受付モジュール１０５が受け付けた翻訳対象の画像１４００である。画像１４００内には、テキスト領域が隣接している地図記号が記載されている領域がある。この地図記号領域が翻訳対象外領域である。
ここで、翻訳対象外イメージテーブル１５００を用いて、既に翻訳対象外とされている画像と類似する画像を抽出する。図１５は、翻訳対象外イメージテーブル１５００のデータ構造例を示す説明図である。翻訳対象外イメージテーブル１５００は、ＩＤ欄１５１０、翻訳対象外イメージ欄１５２０を有している。ＩＤ欄１５１０は、翻訳対象外とされている画像を本実施の形態で一意に識別するための情報（ＩＤ）を記憶している。翻訳対象外イメージ欄１５２０は、翻訳対象外の画像を記憶している。なお、画像そのものを記憶していてもよいし、画像を記憶しているファイルの名称（ＵＲＬ等の記憶位置）を記憶していてもよいし、特徴抽出結果を記憶していてもよい。画像１４００内から、翻訳対象外イメージ欄１５２０内の画像に類似する画像を抽出する。つまり、類似する画像の領域を翻訳対象外領域の候補とする。
図１４（ｂ）に示す例は、ステップＳ１３０８に対応するものであり、翻訳対象外イメージ欄１５２０内の画像に類似する画像の領域として、翻訳対象外領域候補１４１０、翻訳対象外領域候補１４２０、翻訳対象外領域候補１４３０と表示し、レイアウト解析として、翻訳対象となるテキスト領域１４１２、テキスト領域１４２２、テキスト領域１４３２を表示する。ユーザーは、翻訳対象外領域候補１４１０、翻訳対象外領域候補１４２０、翻訳対象外領域候補１４３０を翻訳対象外領域として認める場合は、何も操作せずに終了させればよい。誤りがある場合は、翻訳対象外領域を指定すること、又は逆に、翻訳対象外領域候補の指定を解除すること等の操作を行えばよい。
【００５８】
図１６は、本実施の形態による処理例を示すフローチャートである。
図４の例に示したフローチャートに、翻訳対象外領域の周囲にあるテキスト領域間の接続関係を指定する処理を加えたものである。なお、ステップＳ１６０２からステップＳ１６０６までの処理、ステップＳ１６１０からステップＳ１６１８までの処理は、図４の例に示したフローチャートのステップＳ４０２からステップＳ４０６までの処理、ステップＳ４０８からステップＳ４１６までの処理と同等である。
【００５９】
ステップＳ１６０２では、文書受付モジュール１０５は、文書を受け付ける。
ステップＳ１６０４では、除外領域取得モジュール１１５は、受け付けた文書を表示する。
ステップＳ１６０６では、除外領域取得モジュール１１５は、ユーザーの指定操作にしたがって翻訳対象外領域を取得する。
【００６０】
ステップＳ１６０８では、ユーザーによる接続関係の指定操作にしたがって、翻訳対象外領域の周囲にあるテキストの論理的な接続関係を取得する。翻訳対象外領域の周囲に複数のテキスト領域がある場合、その翻訳対象外領域があることによって、テキスト領域の接続関係が生じたり、生じなかったりする。また、生じた場合も、その接続関係には、複数種類があり得る。この接続関係を正しくしないと、翻訳結果が異なることになる。そこで、ユーザーによる指定操作によって接続関係を決定している。
【００６１】
ステップＳ１６１０では、レイアウト解析モジュール１２０は、文書からレイアウト情報を取得する。
ステップＳ１６１２では、除外領域取得モジュール１１５は、レイアウト情報から翻訳対象外領域を除外する。
ステップＳ１６１４では、機械翻訳モジュール１２５は、翻訳対象外領域を避けて文書を機械翻訳する。
ステップＳ１６１６では、出力モジュール１３０は、元の文書のレイアウトを維持して、翻訳結果を配置する。
ステップＳ１６１８では、出力モジュール１３０は、配置結果を出力する。
【００６２】
なお、図１６の例に示すフローチャートでは翻訳対象外領域の取得、接続関係の取得処理の後に、レイアウト解析を行っているが、前述の図１０，図１３の例に示すように、レイアウト解析を行った後に、翻訳対象外領域の取得、接続関係の取得処理を行うようにしてもよい。
【００６３】
図１７は、本実施の形態による処理例を示す説明図である。
図１７（ａ）の例に示すように、除外領域取得モジュール１１５は、画面１７００の文書表示領域１７２０内に文書を表示する。そして、文書表示領域１７２０の上にメッセージ領域１７１０を表示し、そのメッセージ領域１７１０に例えば「枠を描いて除外領域（翻訳対象外領域）を指定してください。枠を右クリックすると周囲テキストの接続関係を指定できます。」と表示する。
ここで、ユーザーの操作によって、翻訳対象外領域１７３０が指定された。
そして、翻訳対象外領域１７３０上で、右クリックされた場合、図１７（ｂ）の例に示す接続関係メニュー１７４０を表示する。接続関係メニュー１７４０は、接続関係を選択肢とするメニューであって、タイトル欄１７４２、自動欄１７４４、周囲を接続（周り込み）欄１７４６、左右のみ接続欄１７４８、上下のみ接続欄１７５０、縦段組接続欄１７５２、横段組接続欄１７５４、接続しない欄１７５６を有している。これらのいずれかが、ポインタ１７９０によって指定されることになる。
【００６４】
図１８は、本実施の形態による処理例を示す説明図である。
図１８（ａ）の例に示すように、文書１８００内は、ロゴ領域１８３０が翻訳対象外領域として指定され、レイアウト解析結果として、文章領域１８１０、文章領域１８２０、文章領域１８４０、文章領域１８５０がある。
図１８（ｂ１）の例に示すように、翻訳対象外領域１８３０で右クリックされた場合は、図１８（ｂ２）の例に示す接続関係メニュー１７４０を表示する。そして、ポインタ１７９０によって周囲を接続（周り込み）欄１７４６が選択されたとする。
周囲を接続（周り込み）欄１７４６が選択された場合は、翻訳対象外領域であるロゴ領域１８３０がないとして、文章領域１８１０、文章領域１８２０、文章領域１８４０、文章領域１８５０内の文字列を接続する。つまり、図１８（ｃ）の例に示すように、接続マーク１８１２、接続マーク１８１４、接続マーク１８２２、接続マーク１８４４を表示し、文章領域１８１０内の文字列の次に、文章領域１８２０内の１行目の文字列、次に文章領域１８４０内の１行目の文字列、次に文章領域１８２０内の２行目の文字列、そして、文章領域１８４０内の２行目の文字列、次に文章領域１８５０内の文字列が続いている。つまり、図３の例に示したように、「富士ゼロックスは、１９６２年の創業以来、複写機によるドキュメントの伝達を通して、「情報の民主化」に貢献してきました。その後、９０年代に入って、ＩＴ革命により情報量は飛躍的に増大しただけでなくその流通経路や形態も多様化、複雑化しました。さらに、近年では情報通信技術（ＩＣＴ）の進化によって、価値ある知識や情報を選別し活用する力が一層求められるようになりました。このような大きなパラダイムシフトのもとで、当社はもとよりお客様も、従前のやり方で事業成長を継続させることは困難になっており、複雑化・高度化する情報化社会にどのように向き合い、どう事業成長を継続させるべきか、企業としての真価が問われています。」という文章を翻訳対象とする。
なお、左右のみ接続欄１７４８が選択された場合は、文章領域１８２０と文章領域１８４０内の文字列を接続し、上下のみ接続欄１７５０が選択された場合は、文章領域１８１０と文章領域１８５０内の文字列を接続し、縦段組接続欄１７５２が選択された場合は、縦断組のレイアウトとして文字列を接続し、横段組接続欄１７５４が選択された場合は、横断組のレイアウトとして文字列を接続し、接続しない欄１７５６が選択された場合は、文字列の接続処理は行わずに、各テキスト領域の文字列を翻訳対象とする。なお、これらの接続関係は、例示であって、他の接続関係を含めてもよい。
翻訳結果を図１８（ｄ）の例に示す。翻訳結果１８９０は、前述の文書を翻訳したものであり、翻訳対象外領域１８３０は、翻訳されずにそのまま表示されている。
【００６５】
図１９は、本実施の形態による処理例を示す説明図である。
図１９（ａ）の例に示すように、文書１９００のレイアウト解析結果として、翻訳対象となるテキスト領域１９１０、テキスト領域１９２０、テキスト領域１９３０、テキスト領域１９４０を有している。
図１９（ｂ１）の例に示すように、ユーザーの操作によってテキスト領域１９１０内に翻訳対象外領域１９１２が指定されたとする。そして、ユーザーの操作によって翻訳対象外領域１９１２で右クリックされ、図１９（ｂ２）の例に示すように、ポインタ１７９０の操作によって接続関係メニュー１７４０内の接続しない欄１７５６が指定されたとする。
すると、図１９（ｃ）の例に示すように、テキスト領域１９１０が、テキスト領域１９１４とテキスト領域１９１６とに分断され、テキスト領域１９１４内の文章、テキスト領域１９１６内の文章がそれぞれ独立した翻訳対象となる。
翻訳対象外領域１９１２内の画像を「既に翻訳対象外とされている画像」として記憶する。また、この場合の接続関係（図１９の例では「接続しない」）も、その画像と対応して記憶する。つまり、今後、この画像と類似する画像を抽出した場合は、この画像に対して設定された接続関係を、類似する画像の周囲にあるテキスト領域の接続関係にも適用できるようにする。
【００６６】
図２０は、本実施の形態による処理例を示す説明図である。
図２０（ａ）の例に示すように、翻訳対象外領域１９１２に類似する翻訳対象外領域１９３２を抽出する。これによって、テキスト領域１９３０が、翻訳対象外領域１９３２によって、テキスト領域１９３４とテキスト領域１９３６とに分断される。
そして、図２０（ｂ）の例に示すように、翻訳対象外領域１９１２内の画像に対応して、テキスト領域１９１４とテキスト領域１９１６内の文字列の接続関係１９１８は保存２０４０されているので、この接続関係１９１８をテキスト領域１９３４とテキスト領域１９３６内の文字列の接続関係（ここでは、「接続しない」）として適用する。
ユーザーインタフェースとして、図２０（ｃ）の例に示すように、画面２０００に、保存済み除外領域（翻訳対象外領域）の検出ボタン２０１０、文書表示領域２０２０を表示する。
例えば、ポインタ２０９０によって保存済み除外領域（翻訳対象外領域）の検出ボタン２０１０が選択された場合、文書表示領域２０２０内の文書から翻訳対象外領域１９１２に類似する画像の領域を抽出して、その前後（上下の位置関係）にあるテキスト領域に対して、テキスト領域１９１４に対応した接続関係を適用する。
【００６７】
図２１を参照して、本実施の形態の情報処理装置のハードウェア構成例について説明する。図２１に示す構成は、例えばパーソナルコンピュータ（ＰＣ）等によって構成されるものであり、スキャナ等のデータ読み取り部２１１７と、プリンタ等のデータ出力部２１１８を備えたハードウェア構成例を示している。
【００６８】
ＣＰＵ（Ｃｅｎｔｒａｌ  Ｐｒｏｃｅｓｓｉｎｇ  Ｕｎｉｔ）２１０１は、前述の実施の形態において説明した各種のモジュール、すなわち、文書受付モジュール１０５、翻訳処理モジュール１１０、除外領域取得モジュール１１５、レイアウト解析モジュール１２０、機械翻訳モジュール１２５、出力モジュール１３０等の各モジュールの実行シーケンスを記述したコンピュータ・プログラムにしたがった処理を実行する制御部である。
【００６９】
ＲＯＭ（Ｒｅａｄ  Ｏｎｌｙ  Ｍｅｍｏｒｙ）２１０２は、ＣＰＵ２１０１が使用するプログラムや演算パラメータ等を格納する。ＲＡＭ（Ｒａｎｄｏｍ  Ａｃｃｅｓｓ  Ｍｅｍｏｒｙ）２１０３は、ＣＰＵ２１０１の実行において使用するプログラムや、その実行において適宜変化するパラメータ等を格納する。これらはＣＰＵバス等から構成されるホストバス２１０４により相互に接続されている。
【００７０】
ホストバス２１０４は、ブリッジ２１０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス２１０６に接続されている。
【００７１】
キーボード２１０８、マウス等のポインティングデバイス２１０９は、操作者により操作されるデバイスである。ディスプレイ２１１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス２１０９とディスプレイ２１１０の両方の機能を備えているタッチスクリーン等であってもよい。その場合、キーボードの機能の実現について、キーボード２１０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００７２】
ＨＤＤ（Ｈａｒｄ  Ｄｉｓｋ  Ｄｒｉｖｅ）２１１１は、ハードディスク（フラッシュ・メモリ等であってもよい）を内蔵し、ハードディスクを駆動し、ＣＰＵ２１０１によって実行するプログラムや情報を記録又は再生させる。ハードディスクには、除外領域テーブル６００、レイアウト情報テーブル７００、レイアウト情報テーブル（処理後）８００、翻訳対象外イメージテーブル１５００、翻訳対象の文書、翻訳結果、翻訳結果を反映した文書等が格納される。さらに、その他の各種データ、各種コンピュータ・プログラム等が格納される。
【００７３】
ドライブ２１１２は、装着されている磁気ディスク、光ディスク、光磁気ディスク、又は半導体メモリ等のリムーバブル記録媒体２１１３に記録されているデータ又はプログラムを読み出して、そのデータ又はプログラムを、インタフェース２１０７、外部バス２１０６、ブリッジ２１０５、及びホストバス２１０４を介して接続されているＲＡＭ２１０３に供給する。なお、リムーバブル記録媒体２１１３も、データ記録領域として利用可能である。
【００７４】
接続ポート２１１４は、外部接続機器２１１５を接続するポートであり、ＵＳＢ、ＩＥＥＥ１３９４等の接続部を持つ。接続ポート２１１４は、インタフェース２１０７、及び外部バス２１０６、ブリッジ２１０５、ホストバス２１０４等を介してＣＰＵ２１０１等に接続されている。通信部２１１６は、通信回線に接続され、外部とのデータ通信処理を実行する。データ読み取り部２１１７は、例えばスキャナであり、ドキュメントの読み取り処理を実行する。データ出力部２１１８は、例えばプリンタであり、ドキュメントデータの出力処理を実行する。
【００７５】
なお、図２１に示す情報処理装置のハードウェア構成は、１つの構成例を示すものであり、本実施の形態は、図２１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図２１に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機などに組み込まれていてもよい。
【００７６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７７】
１００…情報処理装置
１０５…文書受付モジュール
１１０…翻訳処理モジュール
１１５…除外領域取得モジュール
１２０…レイアウト解析モジュール
１２５…機械翻訳モジュール
１３０…出力モジュール
２００…画像処理装置
２１０…画像処理装置
２２０…ユーザー端末
２３０…文書記憶装置
２９０…通信回線
【図１】
2018195899.tif 000003
【図２】
2018195899.tif 000004
【図３】
2018195899.tif 000005
【図４】
2018195899.tif 000006
【図５】
2018195899.tif 000007
【図６】
2018195899.tif 000008
【図７】
2018195899.tif 000009
【図８】
2018195899.tif 000010
【図９】
2018195899.tif 000011
【図１０】
2018195899.tif 000012
【図１１】
2018195899.tif 000013
【図１２】
2018195899.tif 000014
【図１３】
2018195899.tif 000015
【図１４】
2018195899.tif 000016
【図１５】
2018195899.tif 000017
【図１６】
2018195899.tif 000018
【図１７】
2018195899.tif 000019
【図１８】
2018195899.tif 000020
【図１９】
2018195899.tif 000021
【図２０】
2018195899.tif 000022
【図２１】
2018195899.tif 000023